(57)【要約】共通のＡＣＫ／ＮＡＣＫ情報をソフトハンドオーバー時に基地局のそれぞれのセクターから端末へ転送できるようにするパケットデータ転送方法及びこれを用いる移動通信システムを提供する。前記基地局がデータパケットを、前記複数のセクターのうち少なくとも一つのセクターに相応するように前記少なくとも一つのセクターのそれぞれを通じて、前記端末機から受信する段階と、最高の信号対雑音比を有する信号を得るように、前記相応するように受信されたデータパケットを結合する段階と、前記結合によって得られた値をデコーディングする段階と、前記デコーディング結果に基づいてデータパケットの転送状態を決定する段階と、前記決定結果によって、共通のＡＣＫ信号または共通のＮＡＣＫ信号のいずれかを含む共通ＡＣＫ／ＮＡＣＫ信号を、前記端末機に、前記少なくとも一つのセクターのそれぞれを通じて転送する段階と、を含む構成とした。
2007536779.tif 000002
【特許請求の範囲】
【請求項１】
端末機と、複数のセクターを有する基地局とを含む移動通信システムにおいて、ソフトハンドオーバー時に適用されるパケットデータ転送方法であって、
前記基地局がデータパケットを、前記複数のセクターのうち少なくとも一つのセクターに相応するように前記少なくとも一つのセクターのそれぞれを通じて、前記端末機から受信する段階と、
前記相応するように受信されたデータパケットをデコーディングする段階と、
前記デコーディング結果に基づいてデータパケットの転送状態を決定する段階と、
前記決定結果によって、共通のＡＣＫ信号または共通のＮＡＣＫ信号のいずれかを含む共通ＡＣＫ／ＮＡＣＫ信号を、前記端末機に前記少なくとも一つのセクターのそれぞれを通じて転送する段階と、
を含む、パケットデータ転送方法。
【請求項２】
前記データパケットは、上りリンクＥ−ＤＣＨ（ｅｎｈａｎｃｅｄ  ｕｐｌｉｎｋ  ｄｅｄｉｃａｔｅｄ  ｃｈａｎｎｅｌ）を通じて転送されることを特徴とする、請求項１に記載のパケットデータ転送方法。
【請求項３】
前記デコーディング段階は、最大の信号対雑音比を有する信号を得るために、前記少なくとも一つのセクターを通じて受信したデータパケットを結合する段階と、
前記結合によって得られた値をデコーディングする段階と、
を含むことを特徴とする、請求項１に記載のパケットデータ転送方法。
【請求項４】
端末機と、複数のセクターを有する基地局とを含む移動通信システムにおいて、ソフトハンドオーバー時に適用されるパケットデータ転送方法であって、
前記複数のセクターのうち少なくとも一つのセクターを通じて相応するデータパケットを前記端末機から受信する段階と、
前記相応するように受信されたデータパケットを最大比率結合（ｍａｘｉｍｕｍ  ｒａｔｉｏ  ｃｏｍｂｉｎｉｎｇ：ＭＲＣ）する段階と、
前記最大比率結合した結果をデコーディングする段階と、
前記デコーディング結果に基づいてデータパケットの転送状態を決定する段階と、
前記決定結果によって、共通のＡＣＫ信号または共通のＮＡＣＫ信号のいずれかを含む共通ＡＣＫ／ＮＡＣＫ信号を、前記少なくとも一つのセクターのそれぞれを通じて前記端末機に転送する段階と、
を含むパケットデータ転送方法。
【請求項５】
前記データパケットは、上りリンクＥ−ＤＣＨ（ｅｎｈａｎｃｅｄ  ｕｐｌｉｎｋ  ｄｅｄｉｃａｔｅｄ  ｃｈａｎｎｅｌ）を通じて転送されることを特徴とする、請求項４に記載のパケットデータ転送方法。
【請求項６】
前記共通ＡＣＫ／ＮＡＣＫ信号は、前記複数のセクターのうち一つのみを通じて前記端末機に転送されることを特徴とする、請求項４に記載のパケットデータ転送方法。
【請求項７】
前記共通ＡＣＫ／ＮＡＣＫ信号は、前記複数のセクターのそれぞれを通じて前記端末機に転送されることを特徴とする、請求項４に記載のパケットデータ転送方法。
【請求項８】
前記共通ＡＣＫ／ＮＡＣＫ信号は、前記データパケットを受信したセクターを通じて前記端末機に転送されることを特徴とする、請求項４に記載のパケットデータ転送方法。
【請求項９】
前記共通ＡＣＫ／ＮＡＣＫ信号の下りリンク転送は、物理階層のシグナリングを利用することを特徴とする、請求項４に記載のパケットデータ転送方法。
【請求項１０】
前記移動通信システムは、上りリンク転送のために複合自動反復要請（Ｈｙｂｒｉｄ  ａｕｔｏｍａｔｉｃ  ｒｅｐｅａｔ  ｒｅｑｕｅｓｔ：ＨＡＲＱ）転送方式を採択することを特徴とする、請求項４に記載のパケットデータ転送方法。
【請求項１１】
端末機でパケットデータ転送の成功または失敗を確認する方法であって、
前記パケットデータ転送の成功を知らせる共通のＡＣＫ信号、または前記パケットデータ転送の失敗を知らせる共通のＮＡＣＫ信号のいずれかを含む複数の共通ＡＣＫ／ＮＡＣＫ信号を、一つの活動セットに含まれた他のセルから無線リンクを通じて受信する段階と、
これらの無線リンクが一つの無線リンクセットに含まれた場合、最大の信号対雑音比を有するＡＣＫ／ＮＡＣＫ信号を得るために、前記セルから受信された前記複数の共通ＡＣＫ／ＮＡＣＫ信号を結合させる段階と、
前記結合したＡＣＫ／ＮＡＣＫ信号をデコーディングする段階と、
前記デコーディング結果に基づいて、前記パケットデータ転送の成功または失敗を決定する段階と、
を含む、パケットデータ転送の成功または失敗を確認する方法。
【請求項１２】
前記データパケットは、Ｅ−ＤＣＨ（ｅｎｈａｎｃｅｄ  ｕｐｌｉｎｋ  ｄｅｄｉｃａｔｅｄ  ｃｈａｎｎｅｌ）を通じて転送されることを特徴とする、請求項１１に記載のパケットデータ転送の成功または失敗を確認する方法。
【請求項１３】
前記複数の共通ＡＣＫ／ＮＡＣＫ信号は、Ｅ−ＤＣＨ（ｅｎｈａｎｃｅｄ  ｕｐｌｉｎｋ  ｄｅｄｉｃａｔｅｄ  ｃｈａｎｎｅｌ）の転送時間間隔の間に受信されることを特徴とする、請求項１１に記載のパケットデータ転送の成功または失敗を確認する方法。
【請求項１４】
前記共通ＡＣＫ／ＮＡＣＫ信号のうち一つは、前記基地局の一つのセルを通じてのみ前記端末機に転送されることを特徴とする、請求項１１に記載のパケットデータ転送の成功または失敗を確認する方法。
【請求項１５】
前記共通ＡＣＫ／ＮＡＣＫ信号のうち一つは、前記基地局のそれぞれのセルを通じて前記端末機に転送されることを特徴とする、請求項１１に記載のパケットデータ転送の成功または失敗を確認する方法。
【請求項１６】
前記共通ＡＣＫ／ＮＡＣＫ信号のうち一つは、前記データパケットを受信した基地局のセルを通じて前記端末機に転送されることを特徴とする、請求項１１に記載のパケットデータ転送の成功または失敗を確認する方法。
【請求項１７】
前記共通ＡＣＫ／ＮＡＣＫ信号の下りリンク転送は、物理階層シグナリングを利用することを特徴とする、請求項１１に記載のパケットデータ転送の成功または失敗を確認する方法。
【請求項１８】
前記移動通信システムは、上りリンク転送のために複合自動反復要請（Ｈｙｂｒｉｄ  ａｕｔｏｍａｔｉｃ  ｒｅｐｅａｔ  ｒｅｑｕｅｓｔ：ＨＡＲＱ）転送方式を採択することを特徴とする、請求項１１に記載のパケットデータ転送の成功または失敗を確認する方法。
【請求項１９】
前記結合によって得られたＡＣＫ／ＮＡＣＫ信号は、前記複数の共通ＡＣＫ／ＮＡＣＫ信号のうち、最大の信号対雑音比を有する共通ＡＣＫ／ＮＡＣＫ信号であることを特徴とする、請求項１１に記載のパケットデータ転送の成功または失敗を確認する方法。
【請求項２０】
前記結合したＡＣＫ／ＮＡＣＫ信号は、前記共通ＡＣＫ／ＮＡＣＫ信号を最大比率結合（ｍａｘｉｍｕｍ  ｒａｔｉｏ  ｃｏｍｂｉｎｉｎｇ：ＭＲＣ）して得られたものであることを特徴とする、請求項１９に記載のパケットデータ転送の成功または失敗を確認する方法。
【請求項２１】
無線通信システムであって、
複数のセクターを含む基地局と、
端末機と、を含んでなり、
前記端末機は、
前記基地局の複数のセクターのうち少なくとも一つのセクターにデータパケットを転送する転送器と、
前記データパケットの転送状態によって、共通ＡＣＫ／ＮＡＣＫ信号を前記少なくとも一つのセクターから受信する受信器と、
最大の信号対雑音比を有する値を得るために、前記少なくとも一つのセクターから受信した共通ＡＣＫ／ＮＡＣＫ信号を結合させ、前記得られた値をデコーディングするデコーダーと、
前記デコーディングによって前記パケットデータ転送の成功可否を決定する制御器と、
を含む、無線通信システム。
【請求項２２】
前記デコーディングされる値は、前記共通ＡＣＫ／ＮＡＣＫ信号を最大比率結合（ｍａｘｉｍｕｍ  ｒａｔｉｏ  ｃｏｍｂｉｎｉｎｇ：ＭＲＣ）を行って得られたものであることを特徴とする、請求項２１に記載の無線通信システム。
【発明の詳細な説明】
【技術分野】
【０００１】
本発明は、無線通信システムにおけるパケットデータ転送に関するものである。
【背景技術】
【０００２】
現在、移動通信システムの高速下りリンクパケット転送では、再転送要請（Ａｕｔｏｍａｔｉｃ  Ｒｅｑｕｅｓｔ；以下、‘ＡＲＱ’という。）方式に、チャネルコーディングを適用した複合自動反復要請（Ｈｙｂｒｉｄ  Ａｕｔｏｍａｔｉｃ  Ｒｅｐｅａｔ  Ｒｅｑｕｅｓｔ；以下、‘ＨＡＲＱ’という。）転送方式及びチャネル状態に応じて、変調方式やコーディングレートを可変的に変化させることによって現在チャネル状態によって最適の転送率を獲得する適応変調及びコーディング方式（Ａｄａｐｔｉｖｅ  Ｍｏｄｕｌａｔｉｏｎ  ａｎｄ  Ｃｏｄｉｎｇ；以下、‘ＡＭＣ’という。）を用いる。
【０００３】
このＡＲＱ方式を採択したシステムでは、転送されたパケットの誤り有無を受信端で検査し、それぞれのパケット転送に相応する転送端にフィードバックされたＡＣＫ／ＮＡＣＫ信号に応じて再転送する。このフィードバック信号は、パケット転送の成功的な場合を確認するためのＡＣＫ（Ａｃｋｎｏｗｌｅｄｇｅｍｅｎｔ）信号、または、パケット転送の失敗の場合を確認するためのＮＡＣＫ（Ｎｅｇａｔｉｖｅ  Ａｃｋｎｏｗｌｅｄｇｅｍｅｎｔ）信号を指す。ＡＲＱシステムは、当該受信されたデータパケットを確認し、誤って転送されたパケットを検出した後、この誤って転送されてきたパケットを廃棄し、これを再転送されたパケットに完全に取り替える。しかしながら、ＨＡＲＱシステムは、当該誤って転送されたパケットを保存し、該誤って転送されたパケットは再転送されてきたパケットと相応的に結合してダイバーシティ利得及びコーディング利得を増加させるようになる。一方、ＡＲＱ方式において上位階層（ｈｉｇｈ  ｌａｙｅｒ）シグナリング（ｓｉｇｎａｌｉｎｇ）で転送される時に遅延が発生するが、ＨＡＲＱシステムでの遅延は、物理階層シグナリング（ｐｈｙｓｉｃａｌ  ｌａｙｅｒ  ｓｉｇｎａｌｉｎｇ）でＡＣＫ／ＮＡＣＫ信号が転送されることから起きる。
【０００４】
ＡＲＱ方式は、以前のＡＣＫ／ＮＡＣＫ信号が受信された後にのみ新しいパケットが転送されるＳＡＷ（ｓｔｏｐ−ａｎｄ−ｗａｉｔ）方式、複数のパケット間にパケット転送が続き、ＮＡＣＫ信号の受信後に転送されたＮ個のパケットに対して再転送が行われるＧＢＮ（ｇｏ−ｂａｃｋ−Ｎ）方式、及び誤って転送されたパケットに対してのみ再転送が行われるＳＲ（ｓｅｌｅｃｔｉｖｅ  ｒｅｐｅａｔ）方式を含む。ＳＡＷ方式は簡単に行えるが、それぞれの新しいパケットがＡＣＫ／ＮＡＣＫ信号受信を待たなければならないためデータ転送効率が低下する。ＧＢＮ（ｇｏ−ｂａｃｋ−Ｎ）方式は、チャネル効率は改善するが、相対的に複雑である。ＳＲ（ｓｅｌｅｃｔｉｖｅ  ｒｅｐｅａｔ）方式は、転送されたパケットの本来信号列への回復のために受信端に再整列が要求されるため最も複雑な方法であるが、転送チャネル効率は最も高い。
【０００５】
一方、ＨＡＲＱ転送方式はまた、上記パケットに（検出された）誤って転送されたパケットがある場合、あらかじめ再転送する。ＨＡＲＱ方式は、転送効率を改善すべく信号対雑音比が増加されなければならないが、時間ダイバーシティを通じてより高い信号対雑音比を得るためのＣＣ（Ｃｈａｓｅ  Ｃｏｍｂｉｎｉｎｇ）方式、及びコーディングダイバーシティを通じてより高い信号対雑音比を得るためのＩＲ（ｉｎｃｒｅｍｅｎｔａｌ  ｒｅｄｕｎｄａｎｃｙ）方式を含む。
【０００６】
ＣＣ（Ｃｈａｓｅ  Ｃｏｍｂｉｎｉｎｇ）方式は、パケットを転送するために複数のチャネルを用いるが、パケット誤り検出のイベント発生によってパケットを再転送するためのチャネルは、以前に転送されたパケットのために用いられたチャネルと異なってくる。一方、増加する余裕分を使用するそれぞれのパケット再転送は、他の余裕分を適用する。したがって、１番目バージョンのパケット転送に失敗した場合に２番目または３番目バージョンでパケットが転送される形に様々なバージョンで一つのパケットが転送されるように増加余裕分が特性化される。例えば、１／３のコードレートのために転送されたパケットｘが３つのバージョンで、すなわち、ｘ１、ｘ２、ｘ３で転送されることができる。しかしながら、１／２のコードレートのために転送されたパケットは、ｘ１、ｘ２の２通りのバージョンで転送されることができる。１／２のコードレートと仮定する場合、ｘ１、ｘ２の転送バージョンがそれぞれ失敗する場合、転送器は他の２種類のバージョン、すなわち、ｘ２、ｘ３で転送すれば良い。したがって、受信端の側面で、１／２のコードレートは１／３のコードレートに変更される。
【０００７】
ＨＡＲＱは、端末が基地局に転送する上りリンクにおいてパケットを転送する場合に適用されることができる。当該端末が複数の基地局と通信する時、ソフトハンドオーバー時のように、それぞれの基地局は転送されてきたパケットに対して誤り有無を判別し、下りリンクでＡＣＫ／ＮＡＣＫ信号を転送する。このようにそれぞれの基地局が当該端末にＡＣＫ／ＮＡＣＫ信号を転送すると、端末は、当該複数の基地局から転送される複数のＡＣＫ／ＮＡＣＫ信号を検出する。しかしながら、ソフトハンドオーバー時に、当該端末が１セルのセクター同士間を移動する場合には、一つの基地局が同じパケットに対して複数の転送を受信する。なお、この同じパケットは、当該端末からそれぞれのセクターに転送され、基地局のそれぞれのセクターから分離して転送される。したがって、当該受信端で転送状態、すなわち、下りリンクによって転送されたＡＣＫ／ＮＡＣＫ信号は、それぞれのセクターを通じて転送されたパケットをデコーディングすることによって決定され、続いて、それぞれのセクターは、当該端末に当該ＡＣＫ／ＮＡＣＫ信号を転送する。これにより、ＡＣＫ／ＮＡＣＫ信号の転送効率が低下する。
【発明の開示】
【発明が解決しようとする課題】
【０００８】
本発明は上記の従来技術の限界と欠点に起因する少なくとも一つの問題点を解決するためのパケットデータ転送方法及びこれを用いる無線通信システムに関するものである。
【０００９】
本発明の目的は、共通のＡＣＫ／ＮＡＣＫ情報をソフトハンドオーバー時に基地局のそれぞれのセクターから端末へ転送することができるパケットデータ転送方法及びこれを用いる無線通信システムを提供することにある。
【００１０】
本発明の他の目的は、ＡＣＫ／ＮＡＣＫ転送のための専用チャネルを用いることによってチャネル効率を改善できるパケットデータ転送方法及びこれを用いる無線通信システムを提供することにある。
【００１１】
本発明のさらに他の目的は、データ転送率を増加させることができるパケットデータ転送方法及びこれを用いる無線通信システムを提供することにある。
【課題を解決するための手段】
【００１２】
上記の目的を達成する本発明に係るパケットデータ転送方法の一つは、端末機と、複数のセクターを有する基地局とを含む移動通信システムにおいて、ソフトハンドオーバー時に適用されるパケットデータ転送方法であって、前記基地局がデータパケットを、前記複数のセクターのうち少なくとも一つのセクターに相応するように前記少なくとも一つのセクターのそれぞれを通じて、前記端末機から受信する段階と、前記相応するように受信されたデータパケットをデコーディングする段階と、前記デコーディング結果に基づいてデータパケットの転送状態を決定する段階と、前記決定結果によって、共通のＡＣＫ信号または共通のＮＡＣＫ信号のいずれかを含む共通ＡＣＫ／ＮＡＣＫ信号を、前記端末機に前記少なくとも一つのセクターのそれぞれを通じて転送する段階と、を含む構成とした。
【００１３】
上記の目的を達成する本発明に係るパケットデータ転送方法のもう一つは、端末機と、複数のセクターを有する基地局とを含む移動通信システムにおいて、ソフトハンドオーバー時に適用されるパケットデータ転送方法であって、前記複数のセクターのうち少なくとも一つのセクターを通じて相応するデータパケットを前記端末機から受信する段階と、前記相応するように受信されたデータパケットを最大比率結合（ｍａｘｉｍｕｍ  ｒａｔｉｏ  ｃｏｍｂｉｎｉｎｇ：ＭＲＣ）する段階と、前記最大比率結合した結果をデコーディングする段階と、前記デコーディング結果に基づいてデータパケットの転送状態を決定する段階と、前記決定結果によって、共通のＡＣＫ信号または共通のＮＡＣＫ信号のいずれかを含む共通ＡＣＫ／ＮＡＣＫ信号を、前記少なくとも一つのセクターのそれぞれを通じて前記端末機に転送する段階と、を含む構成とした。
【００１４】
好ましくは、前記データパケットは、上りリンクＥ−ＤＣＨ（ｅｎｈａｎｃｅｄ  ｕｐｌｉｎｋ  ｄｅｄｉｃａｔｅｄ  ｃｈａｎｎｅｌ）を通じて転送され、前記移動通信システムは、複合自動反復要請（ＨＡＲＱ）転送方式を前記下りリンク転送のために採択する。
【００１５】
上記の目的を達成する本発明に係るパケットデータ転送方法のもう一つは、端末機と、複数のセクターを有する基地局とを含む移動通信システムにおいて、ソフトハンドオーバー時に適用されるパケットデータ転送方法であって、前記パケットデータ転送の成功を知らせる共通のＡＣＫ信号、または前記パケットデータ転送の失敗を知らせる共通のＮＡＣＫ信号のいずれかを含む複数の共通ＡＣＫ／ＮＡＣＫ信号を、一つの活動セットに含まれた他のセルから無線リンクを通じて受信する段階と、これらの無線リンクが一つの無線リンクセットに含まれた場合、最大の信号対雑音比を有するＡＣＫ／ＮＡＣＫ信号を得るために、前記セルから受信された前記複数の共通ＡＣＫ／ＮＡＣＫ信号を結合させる段階と、前記結合したＡＣＫ／ＮＡＣＫ信号をデコーディングする段階と、前記デコーディング結果に基づいて、前記パケットデータ転送の成功または失敗を決定する段階と、を含む構成とした。
【００１６】
上記の目的を達成する本発明に係る無線通信システムは、複数のセクターを含む基地局と、端末機と、を含んでなるもので、前記端末機は、前記基地局の複数のセクターのうち少なくとも一つのセクターにデータパケットを転送する転送器と、前記データパケットの転送状態によって、共通ＡＣＫ／ＮＡＣＫ信号を前記少なくとも一つのセクターから受信する受信器と、最大の信号対雑音比を有する値を得るために、前記少なくとも一つのセクターから受信した共通ＡＣＫ／ＮＡＣＫ信号を結合させ、前記得られた値をデコーディングするデコーダーと、前記デコーディングによって前記パケットデータ転送の成功可否を決定する制御器と、を含む構成とした。
【発明の効果】
【００１７】
本発明によれば、端末のソフトハンドオーバーのために、基地局のセクターは当該端末に相応する転送の成功または失敗を確定する共通ＡＣＫ／ＮＡＣＫ信号をそれぞれ転送し、当該端末は、最大の信号対雑音比を有する値を得るために、当該それぞれ受信したＡＣＫ／ＮＡＣＫ信号は結合し、転送状態を確定するために当該得られた値をデコーディングすることで、ＡＣＫ／ＮＡＣＫシグナリング誤りの低減を図る。必要に応じて、当該ＡＣＫ／ＮＡＣＫ信号はソフトハンドオーバーにおいて当該基地局の一つのセクターから端末に転送されることができるため、本発明は、ＡＣＫ／ＮＡＣＫ転送のための専用チャネルを使用する場合にチャネル効率を向上させることができる。さらに、当該端末にＡＣＫ／ＮＡＣＫ信号を転送するために基地局の直接的な物理チャネルを使用するため、無線ネットワーク制御器のような上位階層への報知が省かれ、データ転送率を向上させることが可能になる。
【発明を実施するための最良の形態】
【００１８】
以下、本発明の好適な実施例について、添付の図面を参照しつつ詳細に説明する。図面中、同一または類似な部分については、同一の参照番号を共通使用するものとする。
【００１９】
Ｅ−ＤＣＨ（ｅｎｈａｎｃｅｄ  ｕｐｌｉｎｋ  ｄｅｄｉｃａｔｅｄ  ｃｈａｎｎｅｌ）は、端末（ｕｓｅｒ  ｅｎｔｉｔｙ：ＵＥ）から基地局（Ｎｏｄｅ−Ｂ）への高速データ転送のためのチャネルとして提案された。
【００２０】
移動通信システムにおいて、ソフトハンドオーバー時に、端末は複数のＮｏｄｅ−Ｂにパケットデータを転送し、該パケットデータ転送に成功したか否かを知らせるＡＣＫ／ＮＡＣＫ信号を、それぞれのＮｏｄｅ−Ｂから受信する。したがって、ソフトハンドオーバー時に当該端末は、複数のＡＣＫ／ＮＡＣＫ信号を受信し、これら受信した信号によってあるＮｏｄｅ−Ｂと他のＮｏｄｅ−Ｂの区別されるＡＣＫ／ＮＡＣＫ状態がわかる。すなわち、これらのＮｏｄｅ−Ｂのうちいずれか一つは、受信後に成功的にデータパケットをデコードして当該端末にＡＣＫ信号を転送するのに対し、他のＮｏｄｅ−Ｂは、上記相応するデータパケットの受信、またはデコーディングに失敗し、当該端末にＮＡＣＫ信号を転送する。この場合、ソフトハンドオーバーでのそれぞれのＮｏｄｅ−Ｂは、当該端末から転送されたデータパケットを受信し、この転送で起きた受容できない誤りが発生したか否かを、当該受信したパケットデータに基づいて決定する。そして、上位階層（例えば、無線ネットワーク制御器（Ｒａｄｉｏ  Ｎｅｔｗｏｒｋ  Ｃｏｎｔｒｏｌｌｅｒ：ＲＮＣ））に、相応するデータパケットのための決定結果に関する情報を転送したり発表する。この上位階層は、ソフトハンドオーバー時に端末の転送状態を決定するために‘選択結合’方法を使用する。すなわち、少なくとも一つのＮｏｄｅ−Ｂが、当該上位階層に端末から相応するデータパケットの成功的な転送を指示すると、ソフトハンドオーバー時に端末から成功的なパケットデータ転送と決定される。そして、Ｎｏｄｅ−Ｂのいずれも成功的な転送を指示しないと、転送失敗と決定される。
【００２１】
一方、このような上位階層の決定に先立ち、ソフトハンドオーバーのそれぞれのＮｏｄｅ−Ｂは、各自のパケットデータ受信にしたがって、すなわち、各自の転送状態の決定にしたがってＡＣＫ／ＮＡＣＫ信号を当該端末に転送する。しかしながら、この端末側は、ソフトハンドオーバー条件でそれぞれのＮｏｄｅ−Ｂから区別されるＡＣＫ／ＮＡＣＫ信号を結合する能力がない。例えば、ソフトハンドオーバー時に信号または決定的な転送状態を確定するために簡単に上記ＡＣＫ／ＮＡＣＫ信号のそれぞれを検出する。
【００２２】
一方、ソフトハンドオーバー時、端末によって（一つのＮｏｄｅ−Ｂに含まれた）与えられたセルのセクター同士間で転送する場合、当該端末は、それらセクター間で区別され、これによってパケットデータを転送する。したがって、ソフトハンドオーバー時にＮｏｄｅ−Ｂは、セクターごとに受信された当該パケットデータをデコーディングし、当該端末によって転送されたそれぞれのデータパケットのための一つのＡＣＫ／ＮＡＣＫ信号を当該端末に転送するためにＨＡＲＱ転送方式を適用する。
【００２３】
上り高速データ通信のためにＥ−ＤＣＨでＨＡＲＱ転送方式を使用する場合、本発明は、端末がソフトハンドオーバー時に、下りリンクで一つの共通ＡＣＫ／ＮＡＣＫ信号を転送する方法を提供する。この共通ＡＣＫ／ＮＡＣＫ信号は、少なくとも一つのセクター（または、セル）のそれぞれを通じて転送される。なお、当該転送されてきたパケットの誤り有無の検出に基づいて決定された転送状態による共通のＡＣＫ信号及びＮＡＣＫ信号のいずれかを含む。
【００２４】
本発明において、ソフトハンドオーバー時に端末は、Ｅ−ＤＣＨの転送時間間隔の間に活動するセット（または、Ｎｏｄｅ−Ｂ）の他のセル（または、セクター）から転送された複数のＡＣＫ／ＮＡＣＫ信号を受信することができる。ソフトハンドオーバーなどの場合には、上記無線リンクは同じ無線リンクセットの部分であるため、使用者が当該転送されるＡＣＫ／ＮＡＣＫ信号の一部は同一であることがわかる。そのような場合には、同じ無線リンクセットから転送されるＡＣＫ／ＮＡＣＫ信号は、ＡＣＫ／ＮＡＣＫ信号の一つの場合（例えば、一つのパケット）に形成して結合され、上位階層に伝達される。
【００２５】
図１を参照すると、本発明による無線通信システムは、複数のセクター、ここでは３個のセクターを有する基地局１１０、及び端末１２０を含む。端末１２０は、基地局１１０の複数のセクターのうち少なくとも一つに同じパケットデータを転送する転送器１２１、基地局１１０の複数のセクターのうち少なくとも一つから、当該パケットデータの転送状態による共通のＡＣＫまたはＮＡＣＫ信号を受信する受信器１２２、相応する値にデコーディングするために最大の信号対雑音比を有する信号として、当該少なくとも一つのセクターから受信した共通のＡＣＫまたはＮＡＣＫ信号を結合するデコーダー１２３、及び、このデコーディングの結果に基づいて当該パケットデータの転送の成功可否を決定する制御器１２４を備える。
【００２６】
図２Ａを参照すると、ソフトハンドオーバー時、基地局（Ｎｏｄｅ−Ｂ）１１０は、Ｅ−ＤＣＨを通じて端末１２０から少なくとも一つのセクター、そして特に、それの活動するセクターを通じて転送されたデータパケットを受信し（Ｓ２１０ａ）、最大の信号対雑音比を有するようにパケットに対するデコーディングを行う（Ｓ２２０ａ）。すなわち、当該それぞれのセクターを通じて受信したパケットデータを分離してデコーディングせずに、基地局１１０は、信号対雑音比が最大となるパケットデータ値を得るために相応するように受信されたパケットに対して最大比率結合（ｍａｘｉｍａｌ  ｒａｔｉｏ  ｃｏｍｂｉｎｉｎｇ：ＭＲＣ）を行う。すると、当該デコーディングされた結果に基づいて、端末１２０から転送の成功的な場合の存在または不在を確定するために、基地局１１０は、ＡＣＫ信号またはＮＡＣＫ信号のいずれかを含む一つの共通ＡＣＫ／ＮＡＣＫ信号を生成するために受信状態、すなわち、転送状態を決定する。当該共通ＡＣＫ／ＮＡＣＫ信号として生成された信号は、図２Ａに示すように、少なくとも一つのセクターを通じて当該端末に物理階層シグナリングによって転送される（Ｓ２４０ａ）。この端末は、最大信号対雑音比を有する値を得るために当該共通のＡＣＫまたはＮＡＣＫ信号に対して最大比率結合を行う。当該基地局の上位階層への報知無しで物理チャネルの使用は、より速い転送レートが得られるようにする。
【００２７】
すなわち、図２Ａに示す実施例によれば、当該ＡＣＫ／ＮＡＣＫ信号は、当該基地局のセクターのうち一つのみを通じて基地局１１０から端末１２０に転送される。これに対し、図２Ｂに示す実施例では、端末１２０から転送されたパケットを当該基地局のどのセクターが受信するかにかかわらずに（Ｓ２１０ｂ）、上記生成された（Ｓ２２０ｂ、Ｓ２３０ｂ）共通ＡＣＫ／ＮＡＣＫ信号が、当該基地局の３つのセクターのそれぞれを通じて物理階層シグナリングによって転送される（Ｓ２４０ｂ）。なお、図２Ｃに示す実施例では、当該端末からパケットを受信する基地局のセクターにしたがって上記生成された（Ｓ２２０ｃ、Ｓ２３０ｃ）共通ＡＣＫ／ＮＡＣＫ信号は、物理階層シグナリングによって当該パケットを受信したセクターまたはセクターらのみを通じて転送される（Ｓ２４０ｃ）。
【００２８】
上記最大比率結合は、上記各実施例において同じ方法で行われる。端末１２０が基地局１１０に受信されるデータパケットを転送する時、該基地局の３つのセクターはそれぞれ当該転送された（上りリンク）データパケットを、異なる別のチャネルを通じて受信する。数学式１、２及び３において、当該チャネルはｈ１、ｈ２、及びｈ３で、受信されたパケットデータはｙ１、ｙ２、及びｙ３で表現されることができる。
【００２９】
ｙ１＝ｈ１ｘ＋ｎ１                                      数学式１
ｙ２＝ｈ２ｘ＋ｎ２                                      数学式２
ｙ３＝ｈ３ｘ＋ｎ３                                      数学式３
【００３０】
ｘは、本来転送されたパケットデータを意味し、ｎ１、ｎ２及びｎ３のそれぞれの相応する雑音要素を意味する。数学式１、２及び３はそれぞれ、数学式４、５及び６に変わることができる。
【００３１】
ｈ１＊（ｙ１）＝＊ｈ１＊ｘ＋ｈ１＊（ｎ１）                数学式４
ｈ２＊（ｙ２）＝＊ｈ２＊ｘ＋ｈ２＊（ｎ２）                数学式５
ｈ３＊（ｙ３）＝＊ｈ３＊ｘ＋ｈ３＊（ｎ３）                数学式６
【００３２】
ｈ１＊、ｈ２＊、及びｈ３＊はそれぞれ、ｈ１、ｈ２、及びｈ３のコンジュゲート（ｃｏｎｊｕｇａｔｅ）を意味する。最大比率結合を用いて数学式４、５及び６を結合することで、数学式７で表されるように、一つの受信されたデータパケットｙを得る。
【００３３】
ｙ＝（＊ｈ１＊２＋＊ｈ２＊２＋＊ｈ３＊２）ｘ＋Ｃｎ      数学式７
【００３４】
Ｃｎは、全てのセクターの雑音を結合した値を意味する。セクター別に受信された当該パケットデータの絶対値の自乗を合算することによって、数学式７は、当該パケットデータの最大比率結合した値を得ることができる。したがって、上記データパケットｙの信号対雑音比は最大値を有する。
【００３５】
図３を参照すると、ソフトハンドオーバー時、端末１２０は、基地局（Ｎｏｄｅ−Ｂ）１１０から転送されてきた共通ＡＣＫ／ＮＡＣＫ信号を処理する。すなわち、端末１２０は、基地局１１０の少なくとも一つのセクターからＡＣＫまたはＮＡＣＫ信号を受信する（Ｓ３１０）。その後、これらそれぞれのセクターから転送されたＡＣＫ／ＮＡＣＫ信号を分離してデコーディングせずに、端末１２０が最大の信号対雑音比を有する一つのＡＣＫまたはＮＡＣＫ信号を得るために、受信したＡＣＫ／ＮＡＣＫ信号に対して上述の最大比率結合を行い、該最大比率結合したＡＣＫまたはＮＡＣＫ信号をデコーディングする（Ｓ３２０）。このデコーディング結果に基づいて端末１２０は、上記転送状態、すなわち、相応して転送されたデータパケットに対する転送成功または失敗を確定し、引き続き上記の適切な転送過程を実行する（Ｓ３４０）。端末１２０は、最大比率結合によって、少なくとも一つのセクターから受信した当該共通ＡＣＫ／ＮＡＣＫ信号を結合することによって、最大の信号対雑音比を有する値を得、上記転送状態を決定するために得られた値をデコーディングする。ここで、当該相応して受信した共通ＡＣＫ／ＮＡＣＫ信号を結合するために端末１２０によって行われた最大比率結合は、最大信号対雑音比を有する値を得、基本的に上記様々に受信したデータパケットを結合するために基地局１１０によって行われるのと同様に処理される。
【００３６】
本発明の思想または範囲を逸脱しない限度内で当業者による様々な変形が可能であることは言うまでもない。したがって、本発明は、添付の特許請求の範囲及びこの特許請求の範囲の均等物内の変形を含む。
【図面の簡単な説明】
【００３７】
【図１】本発明による無線通信システムを示す図である。
【図２】図２Ａ、図２Ｂおよび図２Ｃは、それぞれ、ソフトハンドオーバー時に端末機に共通のＡＣＫ／ＮＡＣＫ信号が転送される場合、本発明の第１、第２、第３の実施例による移動通信システムでパケットデータを転送するための方法を示す処理流れ図である。
【図３】ソフトハンドオーバー時に、端末から、図２Ａ乃至図２Ｃに示すいずれかの一方法によってＡＣＫ／ＮＡＣＫ信号を受信する過程を説明するための処理流れ図である。
【図１】
2007536779.tif 000003
【図２】
2007536779.tif 000004
【図３】
2007536779.tif 000005
【国際調査報告】
2007536779.tif 000006
2007536779.tif 000007
2007536779.tif 000008